(57)【特許請求の範囲】
【請求項１】
下方が解放されドーム状に形成されたラバースプリングと、このラバースプリング内部の天井部から下方に突出形成したステム部と、前記ラバースプリングの下方に配設した可撓性のあるフィルム部材と、前記フィルム部材は、表面に前記ステム部と対向する位置に形成した固定接点とを備え、前記固定接点から所定寸法離れた前記フィルム部材の前記表面に可動接点を形成し、この可動接点が形成された部分のフィルム部材を切り起こし形成して変位部を設け、この変位部は、前記固定接点側に折り返えされて前記ステム部に弾圧され、この状態で前記ラバースプリング上部を押圧して前記ステム部を降下させると、前記変位部が前記固定接点上に折り重ねられて前記可動接点が前記固定接点に接触して導通するようにしたことを特徴とするラバースイッチ。
【請求項２】
前記固定接点は、所定寸法の隙間を挟んで互いに対向して形成した第１と第２の固定接点からなり、前記ステム部を降下させると、前記可動接点が前記固定接点に接触し、前記第１と第２の固定接点が前記可動接点を介して導通するようにしたことを特徴とする請求項１記載のラバースイッチ。
【請求項３】
前記フィルム部材は、前記変位部を切り起こしした跡に抜き孔が形成され、この抜き孔をまたいで前記ラバースプリングを取り付け、前記ラバースプリングの内部と外部が前記抜き孔を介してつながっていることを特徴とする請求項１、又は２記載のラバースイッチ。
【発明の詳細な説明】
【０００１】
【発明の属する技術分野】
本発明はラバースイッチに係わり、特に、１枚のフィルム部材に固定接点と可動接点とを形成したラバースイッチに関する。
【０００２】
【従来の技術】
従来この種のラバースイッチ２１を図６に従って説明すると、ゴム等の弾性部材からなるドーム状のラバースプリング２２が配設されている。このラバースプリング２２は、外周部に形成した鍔部２２ａと、この鍔部２２ａの内側に形成したドーム状で内部が空洞の周壁２２ｂと、この周壁２２ｂ頂部の中央部には、周壁２２ｂの上方に突出する押圧部２２ｃと、空洞内部の天井部から下方に突出するステム部２２ｄとが形成されている。
また、鍔部２２ａの下面には、周壁２２ｂの空洞内部と外部とを結ぶ通気溝２２ｅが４方向に所定の深さで形成され、押圧部２２ｃを押圧してラバースプリング２２を弾性変形させると、空洞内部の空気が通気溝２２ｅから排出されて、ラバースプリング２２の変形に支障がないようになっている。
【０００３】
また、ステム部２２ｄの下端部にはカーボン等からなり導電性を有する可動接点２３が取り付けられている。この可動接点３は、ステム部２２ｄに円盤状に印刷、又はラバースプリング２２を成形加工するときに、同時にステム部２２ｄの下端部に密着させて取り付けられている。
そして、可動接点２３と対向する下方に固定電極（図示せず）を有するメンブレンシート２４が配設されている。
このメンブレンシート２４は、金属板等からなる板状の基台２５に載置され、ラバースプリング２２は、鍔部２２ａがメンブレンシート２４に接着剤等で取り付けられている。
【０００４】
前記ラバースイッチ２１のスイッチング操作は、図７に示すように、矢印Ａ方向の下方に押圧部２２ｃを押圧すると、周壁２２ｂが弾性変形して、空洞内部のステム部２２ｄが下方のメンブレンシート２４側に降下する。
そして、可動接点２３がメンブレンシート２４に形成している固定接点（図示せず）に接触して、スイッチＯＮされる。
【０００５】
【発明が解決しようとする課題】
しかし、従来のラバースイッチ２１は、可動接点２３をラバースプリング２２のステム部２２ｄに印刷、あるいは成形加工等により取り付けていたので、可動接点２３の形成に時間が掛かりコストアップになっていた。
本発明は、前述のような課題を解決するために、ラバースプリング下方の１枚のフィルム部材に可動接点と固定接点とを設けることにより、可動接点の形成が容易でコストダウン可能なラバースイッチを提供することを目的とするものである。
【０００６】
【課題を解決するための手段】
前記課題を解決するための第１解決手段として本発明のラバースイッチは、下方が解放されドーム状に形成されたラバースプリングと、このラバースプリング内部の天井部から下方に突出形成したステム部と、前記ラバースプリングの下方に配設した可撓性のあるフィルム部材と、前記フィルム部材は、表面に前記ステム部と対向する位置に形成した固定接点とを備え、前記固定接点から所定寸法離れた前記フィルム部材の前記表面に可動接点を形成し、この可動接点が形成された部分のフィルム部材を切り起こし形成して変位部を設け、この変位部は、前記固定接点側に折り返された前記ステム部に弾圧され、この状態で前記ラバースプリング上部を押圧して前記ステム部を降下させると、前記変位部が前記固定接点上に折り重ねられて前記接点部が前記固定接点に接触して導通するような構成とした。
【０００７】
また、前記課題を解決するための第２解決手段として、前記固定接点は、所定寸法の隙間を挟んで互いに対向して形成した第１と第２の固定接点からなり、前記ステム部を降下させると、前記可動接点が前記固定接点に接触し、前記第１と第２の固定接点が前記可動接点を介して導通するような構成とした。
【０００８】
また、前記課題を解決するための第３解決手段として、前記フィルム部材は、前記変位部を切り起こしした跡に抜き孔が形成され、この抜き孔をまたいで前記ラバースプリングを取り付け、前記ラバースプリングの内部と外部が前記抜き孔を介してつながっている構成とした。
【０００９】
【発明の実施の形態】
本発明のラバースイッチを図面を基に説明する。まず、図１は本発明のラバースイッチの上面図と要部断面図であり、図２はその動作を説明する概略図であり、図３、図４は可動接点の製造を説明する概略図であり、図５は本発明に係わる固定接点のその他の実施の形態を説明する概略図である。
【００１０】
まず、本発明の形態のラバースイッチ１は、図１に示すように、下方が解放されて内部が空洞のドーム状に形成されたラバースプリング２が配設されている。
このラバースプリング２は、シリコンゴム等の部材からなり、外周部にリング状で厚肉の鍔部２ａが形成され、この鍔部２ａの下面は平坦状に形成されて、後述するフィルム部材３の表面に密着して取付可能になっている。
また、鍔部２ａに囲まれた内周部側には、薄肉で弾性変形可能な周壁２ｂがドーム状に形成されている。
【００１１】
また、ドーム状の周壁２ｂ頂部には、上方に突出する押圧部２ｃが形成され、この押圧部２ｃが形成された部分のラバースプリング２内部の天井部には、図示下方に突出するステム部２ｄが形成されている。
そして、押圧部２ｃを押圧すると、周壁２ｂが弾性変形してステム部２ｄが下方に降下するようになっている。また、ラバースプリング２の下方には、可撓性を有するフィルム部材３が配設されている。このフィルム部材３は、図３、図４に示すように、表面の所定位置に円形状の可動接点４が形成され、この可動接点４から所定寸法離れた図示左側の位置に半円形状の第１と第２の固定接点５ａ、５ｂからなる固定接点５が形成されている。
前記可動接点４と固定接点５とは、カーボン等の導電部材からなり、印刷等により形成されている。
【００１２】
前記第１と第２の固定接点５ａ、５ｂは、所定寸法の隙間を挟んで互いに対向して形成され、第１固定接点５ａには第１配線パターン５ｃが、第２固定接点５ｂには第２配線パターン５ｄがそれぞれ接続して形成されている。
また、フィルム部材３は、可動接点４が形成された部分を切り起こし形成して切り起こし基部３ｂを有する変位部３ａが設けられている。そして、切り起こし基部３ｂを支点として変位部３ａを矢印Ｂの固定接点５側に折り返して固定接点５上に折り重ねると、可動接点４が固定接点５に接触可能になっている。
また、変位部３ａを切り起こしした跡には、変位部３ａと同形状の抜き孔３ｃが形成されている。
【００１３】
そして、切り起こし基部３ｂを支点として矢印Ｂ方向に折り返した状態の変位部３ａの上方からラバースプリング２をかぶせると、図１Ｂに示すように、片部３ａがステム部２ｄの下端部で下方向に弾圧される。この時の変位部３ａは、自身の復元力でステム部２ｄの下端部に弾接されている。
また、フィルム部材３は、例えば金属板等からなる基台６に載置されて取り付けされている。そして、ラバースプリング２は、フィルム部材３の表面に鍔部２ａが接着剤等により固着され、フィルム部材３を介して基台６に取り付けられている。
【００１４】
前記ラバースプリング２は、図１Ａに示すように、抜き孔３ｃをまたいでフィルム部材３に取り付けられており、ラバースプリング２の内部と外部が抜き孔３ｃを介してつながっている。
そのために、フィルム部材３に取り付けたラバースプリング２の押圧部２ｃを押圧して周壁２ｂを弾性変形させたときに、ドーム状の空洞内部の空気が抜き孔３ｃから外部に排出可能になっている。
このようなラバースイッチ１は、図１Ｂに示すように、押圧部２ｃに加重を加えない初期状態においては、ステム部２ｄの下端に変位部３ａが弾接して、ステム部２ｄが上方に位置し、可動接点４が固定接点５から離間してスイッチＯＦＦの状態になっている。
【００１５】
そして、本発明のラバースイッチ１をスイッチＯＮ／ＯＦＦさせるスイッチング操作を、図２に基づいて説明すると、まず、押圧部材２ｃに矢印Ｃの荷重を加えて下方に押圧する。すると、ステム部２ｄの降下により、変位部３ａが切り起こし基部３ｂを支点として固定接点５上に折り重ねられて、可動接点４が固定接点５に弾接される。
すると、第１と第２の固定接点５ａ、５ｂが可動接点４を介して電気的に導通することによりスイッチＯＮの状態になる。
また、押圧部２ｃの押圧を加除すると、図１Ｂに示すように、スイッチＯＦＦの状態となって初期状態に復帰する。
このような本発明のラバースイッチ１は、従来のように、円盤状の可動接点をステム部の端部に一体形成する必要がない。
【００１６】
また、本発明の実施の形態では、固定接点５の形状を、互いに対向する第１と第２の固定接点５ａ、５ｂで説明したが、図５に示すように、固定接点１５は可動接点１４と同形状の円形状に形成したものでも良い。
この場合のフィルム部材１３の変位部１３ａに形成した可動接点１４には、配線パターン１４ａが接続され、変位部１３ａを切り起こしして固定接点１５上に折り重ねすると、可動接点１４が固定接点１５に接触して可動接点１４と固定接点１５とが導通することによりスイッチＯＮの状態にすることができる。
【００１７】
また、本発明の実施の形態では、可動接点４を円形状、及び固定接点５を半円形状または円形状のもので説明したが、可動接点４及び固定接点５は、このような形状に限定されず、互いに電気的に導通可能な形状であれば良い。
例えば、第１と第２の固定接点５ａ、５ｂは、図示は省略するが、細長状の配線パター５ｃ、５ｄを延長形成したものでも良い。
【００１８】
【発明の効果】
本発明のラバースイッチは、フィルム部材を切り起こし形成して変位部を設け、この変位部は、固定接点側に折り返したときの復元力でステム部に弾接され、この状態でラバースプリング上部を押圧してステム部を降下させると、変位部が固定接点上に折り重ねられて可動接点が固定接点に接触して導通するようにしたので、可動接点と固定接点とを１枚のフィルム部材の表面に同時に形成することができ、従来のようにラバースプリング内部のステム部に可動接点を形成する必要がなく、可動接点の形成が容易となり、コストダウンが可能なラバースイッチを提供できる。
【００１９】
また、前記固定接点は、所定寸法の隙間を挟んで互いに対向して形成した第１と第２の固定接点からなり、前記ステム部を降下させると、前記可動接点が前記固定接点に接触し、前記第１と第２の固定接点が前記可動接点を介して導通するようにしたので、可動接点から配線パターを引き出ししなくてよく、可動接点を印刷等により容易に製造することができる。
【００２０】
また、前記フィルム部材は、前記変位部を切り起こしした跡に抜き孔が形成され、この抜き孔をまたいで前記ラバースプリングを取り付けられ、ラバースプリング２の内部と外部が抜き孔を介してつながっているので、フィルム部材に取り付けたラバースプリングの押圧部を押圧したときに、ドーム状の空洞内部の空気を抜き孔から外部にスムーズに排出することができる。
そのために、スイッチング操作時に、押圧部を違和感なくスムーズに押圧操作することができ、操作性の良いラバースイッチを提供できる。
【図面の簡単な説明】
【図１】本発明のラバースイッチの上面図と要部断面図である。
【図２】図１に示すラバースイッチの動作を説明する要部断面図である。
【図３】本発明に係わる可動接点の製造を説明する概略図である。
【図４】本発明に係わる可動接点の製造を説明する概略図である。
【図５】本発明に係わる固定接点のその他の実施の形態を説明する概略図である。
【図６】従来のラバースイッチの上面図と要部断面図である。
【図７】従来のラバースイッチの動作を説明する要部断面図である。
【符号の説明】
１  ラバースイッチ
２  ラバースプリング
２ａ  鍔部
２ｂ  周壁
２ｃ  押圧部
２ｄ  ステム部
３  フィルム部材
３ａ  変位部
３ｂ  切り起こし基部
３ｃ  抜き孔
４  可動接点
５  固定接点
５ａ  第１の固定接点
５ｂ  第２の固定接点
６  基台
【図１】
0003860410.tif 000002
【図２】
0003860410.tif 000003
【図３】
0003860410.tif 000004
【図４】
0003860410.tif 000005
【図５】
0003860410.tif 000006
【図６】
0003860410.tif 000007
【図７】
0003860410.tif 000008